(57)【要約】【課題】電線の切断作業が行われ易いものとされ、電線が切断される工程において電線の切り忘れなどの不具合発生が防止され、信頼性が向上された布線シートおよび電気接続箱ならびに電線の切断方法を提供する。【解決手段】電線９が配索される布線シート１０Ｉ　において、布線シート１０Ｉ　の側板部１２Ｉ　に、回路を構成する複数の電線９の端部９ｃがまとめて配設された。電気接続箱の接続箱本体に前記布線シート１０Ｉ　が収容され、複数の電線９の端部９ｃは接続箱本体の側壁で保護された。布線シート１０Ｉ　に立設された圧接端子３９に電線９を圧接させて、布線シート１０Ｉ　に電線９を配索させると共に布線シート１０Ｉ　に電線９を固定させ、その際に電線９の一部９ｈを布線シート１０Ｉ　の側板部１２Ｉ　に固定させ、電線９の一部９ｈを切断して電線９を分離させることで、布線シート１０Ｉ　に複数の電線９を備える回路を形成させる。【選択図】　　　図１０
2004096900.tif 000002
【特許請求の範囲】
【請求項１】
電線が配索される布線シートにおいて、前記布線シートの側板部に、回路を構成する複数の前記電線の端部がまとめて配設されたことを特徴とする布線シート。
【請求項２】
前記布線シートの一側板部に、前記電線の前記端部に対応した取付部が設けられ、複数の該取付部に、複数の該電線の該端部が固定されたことを特徴とする請求項１記載の布線シート。
【請求項３】
前記取付部は、前記電線の前記端部を保持可能な溝に形成され、該溝に該電線の該端部が押入されたことを特徴とする請求項２記載の布線シート。
【請求項４】
前記電線の前記端部に設けられた端面は、前記布線シートを形成する水平な基板部と、該基板部の周囲に形成された垂直な前記側板部との外側に位置することを特徴とする請求項１〜３の何れか１項に記載の布線シート。
【請求項５】
請求項１〜４の何れか１項に記載の布線シートが接続箱本体に収容され、複数の前記電線の前記端部は、該接続箱本体の側壁で保護されたことを特徴とする電気接続箱。
【請求項６】
前記電線の前記端部に設けられた端面は、前記接続箱本体を形成する基壁と、該基壁の周囲に形成された前記側壁との内側に位置することを特徴とする請求項５記載の電気接続箱。
【請求項７】
布線シートに立設された圧接端子に電線を圧接させて、該布線シートに該電線を配索させると共に該布線シートに該電線を固定させ、その際に、該電線の一部を該布線シートの側板部に固定させ、該電線の該一部を切断して該電線を分離させることで、該布線シートに複数の該電線を備える回路を形成させることを特徴とする電線の切断方法。
【請求項８】
前記布線シートの一側板部に、前記電線の前記一部に対応した取付部を設け、該取付部に、該電線の該一部を固定させることを特徴とする請求項７記載の電線の切断方法。
【請求項９】
前記電線の前記一部を保持可能な溝として前記取付部を形成させ、該溝に該電線の該一部を押入させることを特徴とする請求項８記載の電線の切断方法。
【請求項１０】
前記布線シートを形成する基板部上から該基板部の周囲に形成された前記側板部の外側に前記電線を導出させ、該電線の前記一部を折り返させて、該側板部の内側に該電線を導入させることで、該電線を該布線シートの該側板部に固定させることを特徴とする請求項７〜９の何れか１項に記載の電線の切断方法。
【請求項１１】
前記電線の前記一部を前記布線シートの前記側板部に固定させた後に、該布線シートを接続箱本体に収容させ、同時に該電線の該一部を該接続箱本体の側壁側に固定させることを特徴とする請求項７〜１０の何れか１項に記載の電線の切断方法。
【請求項１２】
前記側板部の外側に導出された前記電線の複数の前記一部を同時に切断することで、前記布線シートに複数の該電線を備える回路を形成させることを特徴とする請求項７〜１１の何れか１項に記載の電線の切断方法。
【発明の詳細な説明】
【０００１】
【発明の属する技術分野】
本発明は、例えば自動車の電子制御装置とされる電子ユニットが組付けられ、電線の切断作業が行われ易い布線シートおよび電気接続箱ならびに電線の切断方法に関するものである。
【０００２】
【従来の技術】
図１３は、従来の電気接続箱の一形態を示すものである。
この電気接続箱５０１は、合成樹脂製の上カバー５０２と、下カバー５０３すなわち接続箱本体と、両カバー５０２，５０３の間に積層されて収容される電線配線板５０４と、バスバー配線板５０５とを備えるものとして構成されている。
【０００３】
電線配線板５０４は、合成樹脂製の絶縁基板部５０６と、絶縁基板部５０６の表面に布線される複数本の絶縁被覆電線５０７と、絶縁基板部５０６を貫通すると共に電線５０７に圧接される端子５０８とを備えるものとして構成されている。端子５０８の一方側に圧接部５０８ａが設けられ、端子５０８の他方側に雄タブ状の電気接触部５０８ｂが設けられている。
【０００４】
また、バスバー配線板５０５は、絶縁基板部５０９と、この絶縁基板部５０９の表面に配索された複数本のバスバー５１０とを備えるものとして構成されている。バスバー５１０は、一体に立ち上げられた雄タブ状の端子５１１、又は、一体に立ち下げられた雄タブ状の端子５１１を備えるものとされている。
【０００５】
各端子５０８，５１１は、上カバー５０２や下カバー５０３の各ハウジング５１２，５１３内に突出され、端子５０８，５１１と、ハウジング５１２，５１３とが組み合わされることによりコネクタが構成される。コネクタには外部ワイヤハーネスのコネクタ（図示せず）が接続される。
【０００６】
【発明が解決しようとする課題】
しかしながら、上記従来の電気接続箱５０１にあっては、例えばニッパ（図示せず）などの治具が用いられて、配線板５０４に備えられた電線５０７が一本ずつ切断されるといった作業を要するものとされ、効率よく電線５０７の切断作業が行われるというものとされていなかった。また、そのような電線５０７の切断作業が行われる際に、電線５０７の切り忘れ等により、配線板５０４に所定の回路が構成されないといった不具合の発生が懸念されていた。
【０００７】
本発明は、上記した点に鑑み、電線の切断作業が行われ易いものとされ、電線が切断される工程において電線の切り忘れなどの不具合発生が防止され、信頼性が向上された布線シートおよび電気接続箱ならびに電線の切断方法を提供することを目的とする。
【０００８】
【課題を解決するための手段】
上記目的を達成するために、本発明の請求項１に係る布線シートは、電線が配索される布線シートにおいて、前記布線シートの側板部に、回路を構成する複数の前記電線の端部がまとめて配設されたことを特徴とする。
上記構成により、例えば布線シートの側板部に沿って電線を切断して、布線シートに複数の電線を備える回路を構成させるといった作業は行われ易いものとなる。従って、複数の電線を備える回路は、容易で迅速に布線シートに構成されることとなり、これにより、生産性に優れる布線シートが提供されることとなる。
【０００９】
請求項２に係る布線シートは、請求項１に係る布線シートにおいて、前記布線シートの一側板部に、前記電線の前記端部に対応した取付部が設けられ、複数の該取付部に、複数の該電線の該端部が固定されたことを特徴とする。
上記構成により、電線の端部は、確実に布線シートの一側板部の取付部に装着され続けることとなる。また、例えば布線シートの一側板部の取付部において電線の切断作業が行われるということが可能となり、これにより、電線の切断作業の迅速化が図られることとなる。
【００１０】
請求項３に係る布線シートは、請求項２に係る布線シートにおいて、前記取付部は、前記電線の前記端部を保持可能な溝に形成され、該溝に該電線の該端部が押入されたことを特徴とする。
上記構成により、電線は、長期に亘って確実に布線シートの一側板部に固定されることとなる。また、例えば電線が切断されて布線シートに複数の電線を備える回路が構成される際に、布線シートに対して電線が撓まされて、電線の切り損ねが発生されるといった不具合の発生は回避され、複数の電線を備える回路は、容易で確実に布線シートに設けられることとなる。
【００１１】
請求項４に係る布線シートは、請求項１〜３の何れか１項に係る布線シートにおいて、前記電線の前記端部に設けられた端面は、前記布線シートを形成する水平な基板部と、該基板部の周囲に形成された垂直な前記側板部との外側に位置することを特徴とする。
上記構成により、電線の端部に設けられた端面は、布線シートの基板部上に存しないこととなる。従って、電線の端部が布線シート上の他のものに接触されて、布線シートの回路にショートなどの電気的な不具合が発生されるということは未然に防止され、布線シートの信頼性が向上される。
【００１２】
請求項５に係る電気接続箱は、請求項１〜４の何れか１項に記載の布線シートが接続箱本体に収容され、複数の前記電線の前記端部は、該接続箱本体の側壁で保護されたことを特徴とする。
上記構成により、接続箱本体の外部に複数の電線の端部が露出されるということはない。従って、電気接続箱に電気的な不具合が発生されるということは回避され、電気接続箱の信頼性が向上されることとなる。
【００１３】
請求項６に係る電気接続箱は、請求項５に係る電気接続箱において、前記電線の前記端部に設けられた端面は、前記接続箱本体を形成する基壁と、該基壁の周囲に形成された前記側壁との内側に位置することを特徴とする。
上記構成により、接続箱本体の基壁および側壁の外側に、電線の端部に設けられた端面が露出されるということは回避される。従って、電気接続箱に電気的な不具合が発生されるということは防止され、信頼性が向上された電気接続箱を提供することが可能となる。
【００１４】
請求項７に係る電線の切断方法は、布線シートに立設された圧接端子に電線を圧接させて、該布線シートに該電線を配索させると共に該布線シートに該電線を固定させ、その際に、該電線の一部を該布線シートの側板部に固定させ、該電線の該一部を切断して該電線を分離させることで、該布線シートに複数の該電線を備える回路を形成させることを特徴とする。
上記構成により、布線シートに立設された圧接端子に電線を圧接させて、布線シートに電線を配索させると共に布線シートに電線を固定させるから、電線は布線シートに確実に取付けられることとなる。また、電線の一部を布線シートの側板部に固定させ、電線の一部を切断して電線を分離させるから、電線の一部は容易に切断されることとなる。また、このような電線の切断方法が行われることで、効率よく迅速に電線の一部が切断されることとなる。従って、電線の切断工程の作業効率が向上されることとなる。
【００１５】
請求項８に係る電線の切断方法は、請求項７に係る電線の切断方法において、前記布線シートの一側板部に、前記電線の前記一部に対応した取付部を設け、該取付部に、該電線の該一部を固定させることを特徴とする。
上記構成により、布線シートの一側板部に、電線の一部に対応した取付部を設け、前記取付部に、電線の一部を固定させるから、電線の一部は、確実に布線シートの一側板部の取付部に装着されることとなる。また、電線の一部を布線シートの一側板部の取付部に固定させて、電線の一部を切断するから、布線シートの一側板部の取付部において電線の切断作業を行えばよいこととなる。従って、布線シートの各部において電線の切断作業が行われるといったことは回避され、これにより、電線の切断作業は確実且つ迅速に行われることとなる。
【００１６】
請求項９に係る電線の切断方法は、請求項８に係る電線の切断方法において、前記電線の前記一部を保持可能な溝として前記取付部を形成させ、該溝に該電線の該一部を押入させることを特徴とする。
上記構成により、電線の一部は、確実に布線シートの一側板部に固定されることとなる。従って、電線の一部が切断される際に、布線シートに対して電線の一部がぐらつくといったことは回避され、電線の切断作業は容易で確実に行われることとなる。
【００１７】
請求項１０に係る電線の切断方法は、請求項７〜９の何れか１項に係る電線の切断方法において、前記布線シートを形成する基板部上から該基板部の周囲に形成された前記側板部の外側に前記電線を導出させ、該電線の前記一部を折り返させて、該側板部の内側に該電線を導入させることで、該電線を該布線シートの該側板部に固定させることを特徴とする。
上記構成により、電線の切断作業は行われ易いものとなる。例えば刃物が用いられて電線の切断作業が行われる場合、布線シートの側板部の外側において、布線シートの側板部に沿って刃物を移動させれば、布線シートの側板部の外側に出された電線は、容易に切断されることとなる。従って、電線の切断工程は迅速に行われることとなる。
【００１８】
請求項１１に係る電線の切断方法は、請求項７〜１０の何れか１項に係る電線の切断方法において、前記電線の前記一部を前記布線シートの前記側板部に固定させた後に、該布線シートを接続箱本体に収容させ、同時に該電線の該一部を該接続箱本体の側壁側に固定させることを特徴とする。
上記構成により、電線の一部は、布線シートと、接続箱本体とに確実に固定されることとなる。従って、電線の一部を切断する際に、電線の一部が大きく撓まされて、電線の一部の切断作業が行われ難いといったことは回避され、布線シートと、接続箱本体とに固定された電線の一部は、確実且つ容易に切断可能な状態となる。
【００１９】
請求項１２に係る電線の切断方法は、請求項７〜１１の何れか１項に係る電線の切断方法において、前記側板部の外側に導出された前記電線の複数の前記一部を同時に切断することで、前記布線シートに複数の該電線を備える回路を形成させることを特徴とする。
上記構成により、電線の切り忘れなどといった電線の切断時における不具合の発生は、未然に防止されることとなる。従って、布線シートに複数の電線を備える回路を確実に形成させることが可能となる。
【００２０】
【発明の実施の形態】
以下に本発明に係る布線シートおよび電気接続箱ならびに電線の切断方法の実施形態を図面に基づいて詳細に説明する。
図１〜図９は、本発明に係る布線シートおよび電気接続箱ならびに電線の切断方法の一実施形態を示すものである。
【００２１】
各布線シート１０，２０の上下方向について説明すると、図１および図２の如く、布線シート２０からバスバー３０の電気接触部３７が突出された側を下側とする。図１および図２は、布線シート２０の下側を示すものとされている。また、図１，図２，図４，図５の如く、布線シート１０からバスバー３０の電気接触部３６が突出された側を上側とする。
【００２２】
また、図６に基づいて電気接続箱１に関する各方向について説明すると、接続箱本体７０内に電子ユニット５が位置する側を上側とし、接続箱本体７０に合成樹脂製の支持部材１００が装着された側を下側とする。また、ヒューズブロック８０にカバー９０が備えられている側を前側とし、接続箱本体７０を形成する側壁７２ｂが位置する側を後側とする。また、接続箱本体７０を形成する一側壁７２ｃから他側壁７２ａに向けた方向、又は、他側壁７２ａから一側壁７２ｃに向けた方向を左右の方向とする。
【００２３】
なお、この明細書における「上下」、「前後」、「左右」の定義は、各部を説明する上で、便宜上、定義されたものであり、必ずしも布線シートおよび電気接続箱の実使用時における方向や、電線の切断方法が実施される際の布線シートまたは電気接続箱の方向と一致するものではない。
【００２４】
図１および図４の如く、二つの布線シート１０，２０は、互いに組付けられた状態で、図６に示される接続箱本体７０の収容部７３内に備えられる。図４および図５の如く、ハウジング部材５０と、電子ユニット５（図６）とが組付けられる上層の布線シート１０に、各バスバー３０が装着されている。また、図１および図２の如く、前記上層の布線シート１０に組付けられる下層の布線シート２０に、各バスバー３０が装着されている。また、図４および図５に示される他の電子ユニット４が、図１に示される布線シート２０の収容部２０Ｐに装着される。
【００２５】
図１の如く、各種形状をした電気接触部３７Ｅ，３７Ｆ，３７Ｇ，３７Ｈを備える金属製のバスバー３０Ｅ，３０Ｆ，３０Ｇ，３０Ｈが、合成樹脂製の布線シート２０に装着されている。バスバー３０Ｆ，３０Ｈの一部が略クランク形状に折り曲げられて、バスバー３０Ｆ，３０Ｈに電気接触部３７Ｆ，３７Ｈが形成されている。また、バスバー３０Ｇ，３０Ｈの電気接触部３７Ｇ，３７Ｈは、バスバー３０Ｅ，３０Ｆの電気接触部３７Ｅ，３７Ｆよりも細い形状をした電気接触部として形成されている。
【００２６】
また、図１，図２，図４，図５の如く、各種電気接触部３６Ａ，３６Ｂ，３６Ｃ，３６Ｄを備える金属製のバスバー３０Ａ，３０Ｂ，３０Ｃ，３０Ｄが、合成樹脂製の布線シート１０に装着されている。バスバー３０Ｃ，３０Ｄの電気接触部３６Ｃ，３６Ｄは、バスバー３０Ａ，３０Ｂの電気接触部３６Ａ，３６Ｂよりも細い形状をした電気接触部として形成されている。
【００２７】
各種バスバーは、プレス成型機などが用いられて金属製平板に打抜き加工が行われて、例えば長尺状などの各種形状をした端子金具素材が形成され、その後、端子金具素材に曲げ加工などのプレス成型加工が行われることで、所定の形状に形成される。
【００２８】
各種形状をした前記バスバー３０Ａ，３０Ｂ，３０Ｃ，３０Ｄ，３０Ｅ，３０Ｆ，３０Ｇ，３０Ｈの符号を代表するものとして、バスバーは符号３０として示されている。また、バスバー３０の各端子部３３Ｆの符号を代表するものとして、端子部は符号３３として示されている。また、各種形状をした前記電気接触部３６Ａ，３６Ｂ，３６Ｃ，３６Ｄの符号を代表するものとして、電気接触部は符号３６として示されている。また、各種形状をした前記他の電気接触部３７Ｅ，３７Ｆ，３７Ｇ，３７Ｈの符号を代表するものとして、他の電気接触部は符号３７として示されている。
【００２９】
図１〜図６の如く、各種バスバー３０に錫メッキＰが被覆されている。各種バスバー３０に「めっき処理」が施されることで、端子部３３、又は電気接触部３６，３７、又は音叉端子部３８、又は圧接端子部３９が、相手側端子もしくは相手側電気接触部と通電可能に接触された際に、接触安定性や、接続性が向上されることとなる。また、通電可能に接続される部分の酸化が防止されることとなる。
【００３０】
溶接接続性及び接触安定性を向上させるために、少なくとも一方ないし両方の端子部もしくは電気接触部に「めっき処理」が施されていれば、端子部もしくは電気接触部の耐食性は向上される。また、長尺状に形成された各バスバー３０の全長に渡って、予め錫メッキＰなどのメッキ材Ｐが被覆されていれば、各バスバー３０が腐食されるといった不具合の発生は未然に防止されることとなる。これにより、長期に亘って安定された性能を維持できる各バスバー３０が使用可能となる。
【００３１】
錫は、銀白色で金属光沢をもち、延性・展性に優れる性質を備えるものとされている。錫は、大気中で強く加熱されると酸化されるものであるが、常温状態において錆は発生されないものとされ、このようなことから、錫は、光沢が失われないものとされている。このように、錫は、空気中で変化され難い性質のものとされているから、鉄、鉄鋼、銅などの各種金属成形体の表面に錫鍍金が施されていれば、金属成形体の腐食は進行されず、金属成形体は長期に亘って錫鍍金の被覆層に保護されることとなる。
【００３２】
布線シートや、電気接続箱の仕様により、各バスバーに上記錫めっき等のめっき処理が行われずに、めっき処理が省略されたものも使用可能とされる。
【００３３】
図１および図２の如く、合成樹脂製の布線シート１０，２０の裏側に、金属製バスバー３０の圧接端子部３９が挿着される一保持部２９や、タブ形状をした金属製バスバー３０の電気接触部３７が挿通される他の保持部２７などが、多数、設けられている。また、接続箱本体の基壁に布線シート１０，２０などが確実に固定されるために、略円筒状に形成された複数の固定部２５，２６が、布線シート２０を形成する基板部２１の裏側に設けられている。前記複数の固定部２５，２６に、ねじなどの止具（図示せず）が挿通される固定孔２５ａ，２６ａが設けられている。
【００３４】
図２に示される多くの一保持部２９の収容部２９ａ内に、例えば図３に示される形状をしたバスバー３０の圧接端子部３９が備えられている。また、図２の如く、一保持部２９の挿通部２９ｂ内に電線９が挿通保持される。図３の如く、電線９すなわち布線９は、細い直径をした複数の軟銅線がより合わされて回路導体９ａが構成され、回路導体９ａの周囲にポリ塩化ビニル製の絶縁被覆体９ｂが設けられることで構成された断面略円形の線状体とされている。
【００３５】
また、図２の如く、布線シート１０，２０に電線９が配索される際に、布線シート２０に設けられた円柱状突出部２４の側面２４ａに沿って、電線９が適度に曲げられることで、布線シート２０に布線される電線９の延長方向が変えられる。布線シート１０，２０は、配線板として取り扱われる。
【００３６】
図４の如く、上側の布線シート１０は、水平な略矩形状の基板部１１と、水平な略矩形状の基板部１１の周囲に設けられた垂直の各側板部１２１　，１２２　，１２３　とを備えるものとして形成され、このような布線シート１０に、図５の如く、複数の電線９が配索される。また、布線シート１０を形成する側板部１２の一側板部１２１　に、回路を構成する複数の電線９の端部９ｃがまとめて配設されている。図５の如く、過半数の電線９の端部９ｃが、布線シート１０の一側板部１２１　にまとめて配設されている。
【００３７】
また、図１の如く、下側の布線シート２０は、水平な略矩形状の基板部２１と、水平な略矩形状の基板部２１の周囲に設けられた垂直の各側板部２２１　，２２２　，２２３　とを備えるものとして形成され、このような布線シート２０に、図２の如く、複数の電線９が配索される。また、布線シート２０を形成する側板部２２の一側板部２２１　に、回路を構成する複数の電線９の端部９ｃがまとめて配設されている。図１および図２の如く、過半数の電線９の端部９ｃが、布線シート２０の一側板部２２１　にまとめて配設されている。
【００３８】
このように、布線シート１０，２０を形成する側板部１２，２２の一側板部１２１　，２２１　に、回路を構成する複数の電線９の端部９ｃがまとめて配設されていれば、例えば布線シート１０，２０の一側板部１２１　，２２１　に沿って電線９を切断して、布線シート１０，２０に複数の電線９を備える回路を構成させるといった作業は行われ易いものとなる。従って、複数の電線９を備える回路は、容易で迅速に布線シート１０，２０に構成されることとなり、これにより、生産性に優れる布線シート１０，２０が提供されることとなる。また、これに伴って、各布線シート１０，２０および各布線シート１０，２０が組付けられる電気接続箱１（図６，図９）の価格の低減化も図られることとなる。
【００３９】
図１，図２，図４，図５の如く、電線９の端部９ｃに対応して、布線シート２０の一側板部２２１　に、複数の取付部２２ａが設けられ、複数の取付部２２ａに、複数の電線９の端部９ｃが固定されている。また、同じく、電線９の端部９ｃに対応して、布線シート１０の一側板部１２１　に、複数の取付部１２ａが設けられ、複数の取付部１２ａに、複数の電線９の端部９ｃが固定されている。
【００４０】
このように、布線シート１０，２０の一側板部１２１　，２２１　に、複数の取付部１２ａ，２２ａが設けられているから、複数の電線９の端部９ｃは、確実に布線シート１０，２０の一側板部１２１　，２２１　の複数の取付部１２ａ，２２ａに装着され続けることとなる。
【００４１】
また、例えば布線シート１０，２０の一側板部１２１　，２２１　に設けられた取付部１２ａ，２２ａにおいて、カッタなどの刃物（図示せず）などが用いられて、布線シート１０，２０に配索される電線９の切断作業が一回で行われるということが可能となり、これにより、電線９の切断作業の迅速化が図られることとなる。
【００４２】
図１および図２の如く、布線シート２０の一側板部２２１　に設けられた取付部２２ａは、電線９の端部９ｃを保持可能な略凹状の溝２２ａとして形成され、この略凹状をした溝２２ａに電線９の端部９ｃが押入されている。また、同じく、布線シート１０の一側板部１２１　に設けられた取付部１２ａは、電線９の端部９ｃを保持可能な略凹状の溝１２ａとして形成され、この略凹状をした溝１２ａに電線９の端部９ｃが押入されている。
【００４３】
布線シート１０，２０に設けられた複数の略凹状の溝１２ａ，２２ａに、複数の電線９の端部９ｃが押入されているから、複数の電線９は、長期に亘って確実に布線シート１０，２０の一側板部１２１　，２２１　に固定されることとなる。また、例えば不図示の刃物により、電線９が切断されて布線シート１０，２０に複数の電線９を備える回路が構成される際に、布線シート１０，２０に対して電線９が撓まされて、電線９の「切り損ね」が発生されるといった不具合の発生は回避され、複数の電線９を備える回路は、容易で確実に布線シート１０，２０に設けられることとなる。
【００４４】
図５の如く、電線９の端部９ｃに設けられた端面９ｄすなわち刃物（図示せず）による切断面９ｄは、上側の布線シート１０を形成する水平な基板部１１と、基板部１１の周囲に形成された垂直な側板部１２との外側に位置するものとされている。また、図２の如く、電線９の端部９ｃに設けられた端面９ｄすなわち不図示の刃物による切断面９ｄは、下側の布線シート２０を形成する水平な基板部２１と、基板部２１の周囲に形成された垂直な側板部２２との外側に位置するものとされている。
【００４５】
このようにして、布線シート１０，２０に複数の電線９が配索されていれば、複数の電線９の端部９ｃに設けられた切断面９ｄは、何れの切断面９ｄとも布線シート１０，２０の布線エリア１０Ａ，２０Ａ内に存しないこととなる。布線エリア２０Ａとは、図１に例示される如く、基板部２１と、各側板部２２１　，２２２　，２２３　とで囲まれた布線シート２０の内側の電線配索部を意味する。
【００４６】
従って、各電線９の端部９ｃの切断面９ｄが、布線シート１０，２０の布線エリア１０Ａ，２０Ａ内に設けられた各バスバー３０の本体部（図示せず）や、電気接触部３７や、圧接端子部３９などに接触されて、布線シート１０，２０の回路にショートなどの電気的な不具合が発生されるということは未然に防止され、布線シート１０，２０の信頼性が向上される。
【００４７】
図１および図４に示される布線シート１０，２０が、図６の如く、接続箱本体７０に収容されて、図２および図５に示される各電線９の端部９ｃの切断面９ｄは、図６に示される接続箱本体７０の側壁７２ｃで保護される。詳しく説明すると、図２および図５の如く、各電線９の端部９ｃに設けられた切断面９ｄは、図６に示される接続箱本体７０の基壁７１と、基壁７１の周囲に形成された一側壁７２ｃとの内側に位置するものとされている。
【００４８】
このようにすれば、接続箱本体７０の基壁７１および側壁７２ｃの外側に、電線９の端部９ｃに設けられた刃物による切断面９ｄが露出されるということは回避される。従って、電気接続箱１に漏電などの電気的な不具合が発生されるということは防止され、信頼性が向上された電気接続箱１を提供することが可能となる。
【００４９】
次に、本発明に係る電線の切断方法を図１０および図１１に基づいて詳細に説明する。
図１０〜図１２は、本発明に係る布線シートおよび電気接続箱ならびに電線の切断方法についての他の実施形態を示すものである。図１０は、布線シート１０Ｉ　の下側を示すものとされている。布線シート１０Ｉ　からバスバー３０Ｉ　の電気接触部３７Ｉ　が突出された側が下側とされ、バスバー３０Ｉ　の電気接触部３６Ｉ　が突出された側が上側とされている。
【００５０】
図１，図２，図４，図５に示される布線シート１０に代えて、図１０に示される布線シート１０Ｉ　が電気接続箱に装着されたものも使用可能とされる。図１，図２，図４，図５に示される布線シート１０と、図１０に示される布線シート１０Ｉ　とは、略同じ構成のものとされている。また、図１０に示される布線シート１０Ｉ　において、図１〜図５に示されるものと共通なものとされる部分については、同一の符号が付され、その詳細な説明は省略されている。
【００５１】
上側の布線シート１０Ｉ　は、水平な略矩形状の基板部１１Ｉ　と、水平な略矩形状の基板部１１Ｉ　の周囲に設けられた垂直の各側板部１２１１，１２１２，１２１３とを備えるものとして形成され、このような布線シート１０Ｉ　に、電線９が複雑に配索されている。
【００５２】
各バスバー３０，３０Ｉ　に錫メッキＰなどのメッキ材Ｐが被覆されている。音叉端子部３８Ｋが設けられたバスバー３０Ｋについて説明すると、このバスバー３０Ｋは、バスバー本体３１Ｋの一方が略直角に多段に折り曲げられて音叉端子部３８Ｋが延設されると共に、バスバー本体３１Ｋの他方が略直角に折り曲げられて圧接端子部３９Ｋが延設されて形成されたものである。このバスバー３０Ｋには、メッキ処理は行われずに省略されているが、他の音叉端子部３８を備えるバスバー３０には、錫メッキＰが被覆されている。
【００５３】
バスバー３０Ｋの圧接端子部３９Ｋに対応して、布線シート１０Ｉ　の基板部１１Ｉ　に、挿通孔を備える別の保持部１９Ｋが設けられている。バスバー３０Ｋの圧接端子部３９Ｋは、布線シート１０Ｉ　の基板部１１Ｉ　に設けられた前記別の保持部１９Ｋに挿着されている。
【００５４】
また、バスバー本体３１Ｋに貫通孔形状をした取付部３１ｐが設けられている。前記取付部３１ｐに対応して、布線シート１０Ｉ　の基板部１１Ｉ　に、固定部１３Ｉ　が設けられている。バスバー本体３１Ｋの取付部３１ｐと、布線シート１０Ｉ　の固定部１３Ｉ　とが合わせられると共に例えば熱溶着が行われることで、布線シート１０Ｉ　にバスバー３０Ｋが固定される。
【００５５】
また、タブ形状をしたバスバー３０Ｉ　の電気接触部３７Ｉ　が挿通される他の保持部１７Ｉ　が、布線シート１０Ｉ　の基板部１１Ｉ　に設けられている。また、下層の布線シートから突設されたタブ状の端子部などが挿通される略矩形状をした貫通孔１７ｂが、電気接続箱の上層に位置する布線シート１０Ｉ　の基板部１１Ｉ　に設けられている。
【００５６】
図１０の如く、布線シート１０Ｉ　に立設された各圧接端子３９に一本の電線９を圧接させて、布線シート１０Ｉ　の布線エリア１０ＡＩ　に一本の電線９を張り巡らせると共に布線シート１０Ｉ　の側板部１２Ｉ　や、保持部１８Ｉ　，１９Ｉ　に一本の電線９を固定させる。保持部１８Ｉ　，１９Ｉ　の溝や、側板部１２Ｉ　の溝１２ａＩ　に一本の電線９が嵌め込まれて、一本の電線９が布線シート１０Ｉ　に装着される。このようにすることで、一本の電線９は、布線シート１０Ｉ　に確実に取付けられることとなる。
【００５７】
布線機などの布線装置（図示せず）が用いられ、布線装置の電線押出し部（図示せず）から電線９が押し出されつつ、不図示の布線装置または布線シート１０Ｉ　が前後左右方向に沿って相対移動が行われることで、布線シート１０Ｉ　の裏側に電線９が複雑に配索される。
【００５８】
また、布線シート１０Ｉ　の裏側に設けられた円柱状突出部１４の側面１４ａに沿って、電線９が適度に曲げられることで、布線シート１０Ｉ　に布線される電線９の延長方向が変えられる。電線９の各端部９ｃは、布線シート１０Ｉ　の側板部２２に設けられた凹溝状の取付部１２ａＩ　に嵌め合わせられる。
【００５９】
また、多くの一保持部１９Ｉ　に、例えば図３に示される形状をしたバスバー３０の圧接端子部３９が収容されている。図１０に示されるバスバー３０の圧接端子部３９は、図３（ａ）の如く、略平行に並べられた一対の圧接刃３９ｂの間に、略Ｕ字状の圧接スリット３９ａが設けられた圧接片を備えるものとして形成されている。略板状をした一対の圧接刃３９ｂに、互いに内側に向けられた傾斜部３９ｄが設けられ、この傾斜部３９ｄに刃部３９ｃが設けられている。傾斜部３９ｄに設けられた刃部３９ｃは、略板状をした圧接刃３９ｂの板厚が次第に薄くされ、比較的、鋭利な形状のものとされている。
【００６０】
複数の圧接端子部３９に向けて、絶縁被覆体９ｂによって保護された回路導体９ａを備える布線９が押圧され、圧接接続が行われることにより、布線９と、圧接端子部３９とが通電可能に接続される。圧接端子部３９の一対の圧接刃３９ｂに、絶縁被覆体９ｂによって保護された回路導体９ａを備える布線９が圧接され始めると、圧接刃３９ｂに設けられた鋭利な傾斜部３９ｄの刃部３９ｃによって、布線９の絶縁被覆体９ｂは切り裂かれ始める。
【００６１】
さらに一対の圧接刃３９ｂ間の圧接スリット３９ａ内に向けて、布線９を圧接させてゆくと、圧接端子部３９の圧接スリット３９ａによって布線９の絶縁被覆体９ｂは切り裂かれ、図３（ｂ）の如く、圧接端子部３９に設けられた圧接スリット３９ａの部分と、布線９の絶縁被覆体９ｂ内に設けられた回路導体９ａとが接触され、布線９と、圧接端子部３９とが通電可能に接続される。このように、圧接接続は、布線９の絶縁被覆体９ｂの剥離作業と、布線９の回路導体９ａと、圧接端子部３９との接続作業とが、同時に行われるものとされている。
【００６２】
図１０の如く、一本の電線９の一部９ｈを布線シート１０Ｉ　の側板部１２Ｉ　に固定させ、刃物（図示せず）が用いられて一本の電線９の一部９ｈを同時に切断し、一本の電線９を複数の電線９に分離させる。これにより、電線９に各端部９ｃに切断面９ｄが形成される。また、不図示の刃物が用いられて、布線シート１０Ｉ　の一側板部１２１１に沿って電線の切断作業が行われることで、布線シート１０Ｉ　に対する電線９の配索作業が終了される。
【００６３】
このようにすることで、一本の電線９の一部９ｈは容易に切断されることとなる。また、このような電線の切断方法が行われることで、効率よく迅速に電線９の一部９ｈが切断されることとなる。従って、電線９の切断工程の作業効率が向上されることとなる。
【００６４】
略矩形状に形成された布線シート１０Ｉ　の一側板部１２１１に、一本の電線９の一部９ｈに対応した複数の取付部１２ａＩ　を設け、複数の前記取付部１２ａＩ　に、一本の電線９の一部９ｈを折り曲げながら固定させる。このようにして一本の電線９を布線シート１０Ｉ　に固定させれば、一本の電線９の一部９ｈは、確実に布線シート１０Ｉ　の一側板部１２１１の各取付部１２ａＩ　に装着されることとなる。
【００６５】
また、一本の電線９の一部９ｈを布線シート１０Ｉ　の一側板部１２１１の取付部１２ａＩ　に固定させて、一本の電線９の一部９ｈを同時に切断するから、布線シート１０Ｉ　の一側板部１２１１の取付部１２ａＩ　において、一本の電線９の切断作業を行えばよいこととなる。従って、略矩形状に形成された布線シート１０Ｉ　の各部において一本の電線９の切断作業が行われるといったことは回避される。これにより、電線９の切断作業は確実且つ迅速に行われることとなる。
【００６６】
前記取付部１２ａＩ　は、略Ｕ字状の溝１２ａＩ　として形成されている。布線シート１０Ｉ　の一側板部１２１１に、一本の電線９の一部９ｈを保持可能な複数の略Ｕ字状の溝１２ａＩ　を設け、これらの溝１２ａＩ　に一本の電線９の一部９ｈを押入させる。
【００６７】
このようにすることで、一本の電線９の一部９ｈは、確実に布線シート１０Ｉ　の一側板部１２１１に固定されることとなる。従って、一本の電線９の一部９ｈが切断される際に、布線シート１０Ｉ　に対して一本の電線９の一部９ｈが「ぐらつく」といったことは回避され、一本の電線９の切断作業は容易で確実に行われることとなる。
【００６８】
布線シート１０Ｉ　を形成する基板部１１Ｉ　上から基板部１１Ｉ　の周囲に形成された側板部１２Ｉ　の外側に一本の電線９を導出させ、一本の電線９の一部９ｈを折り返させて、再び、側板部１２Ｉ　の内側に一本の電線９を導入させることで、一本の電線９の一部９ｈを布線シート１０Ｉ　の側板部１２Ｉ　に固定させる。
【００６９】
布線シート１０Ｉ　の一側板部１２１１に沿った方向に対し、略直角の方向に沿って電線９を固定させ、電線９の一部９ｈを折り曲げて、布線シート１０Ｉ　の一側板部１２１１に沿った方向に対し、略直角の方向に沿って電線９を固定させる。これが繰返して行われることで、図１０の如く、布線シート１０Ｉ　の一側板部１２１１に一本の電線９が取付けられる。
【００７０】
このようにして、一本の電線９を布線シート１０Ｉ　の側板部１２Ｉ　に固定させることにより、一本の電線９の切断作業は行われ易いものとなる。例えば不図示の刃物が用いられて、一本の電線９の切断作業が行われる場合、布線シート１０Ｉ　の側板部１２Ｉ　の外側において、布線シート１０Ｉ　の側板部１２Ｉ　に沿って不図示の刃物を移動させれば、布線シート１０Ｉ　の側板部１２Ｉ　の外側に出された一本の電線９の一部９ｈは、容易に切断されることとなる。従って、電線９の切断工程は迅速に行われることとなる。また、前記切断工程が行われることにより、布線シート１０Ｉ　を形成する側板部１２Ｉ　の一側板部１２１１に、回路を構成する複数の電線９の端部９ｃがまとめて配設されることとなる。
【００７１】
布線シート１０Ｉ　の側板部１２Ｉ　の外側に導出された一本の電線９において、この電線９が折曲げられて形成された複数の一部９ｈを同時に切断し、複数の切取り部９ｋを取り除く。このような電線の切断方法が行われることにより、電線９の切り忘れなどといった布線９の切断時における不具合の発生は、未然に防止されることとなる。従って、布線シート１０Ｉ　に複数の電線９を備える回路を確実に形成させることが可能となる。また、これにより、過半数の電線９の端部９ｃが、布線シート１０Ｉ　の一側板部１２１１にまとめて配設されることとなる。
【００７２】
図１，図２，図４，図５に示される電線９の配索方法、圧接方法、切断方法も、図１０と共に説明した上記内容と略同じ手順で行われる。
【００７３】
また、図１０の如く、一本の電線９の一部９ｈを布線シート１０Ｉ　の一側板部１２１１に固定させた後に、図１１の如く、布線シート１０Ｉ　を接続箱本体７０Ｉ　に収容させ、同時に一本の電線９の一部９ｈを接続箱本体７０Ｉ　の側壁７２ｃＩ　側の掛かり止め部７２ｐに固定させ、その後、電線９が折曲げられて形成された複数の一部９ｈを同時に切断し、複数の切取り部９ｋを取り除くといった電線９の切断方法も採用可能とされる。略円柱状の掛かり止め部７２ｐは、接続箱本体７０Ｉ　の基壁７１Ｉ　から上側に向けて延設されたものである。
【００７４】
このようにすることで、一本の電線９の一部９ｈは、布線シート１０Ｉ　と、接続箱本体７０Ｉ　とに確実に掛かり止めされることとなる。従って、一本の電線９の一部９ｈを切断する際に、一本の電線９の一部９ｈが大きく撓まされて、電線９の一部９ｈの切断作業が行われ難いといったことは回避され、布線シート１０Ｉ　と、接続箱本体７０Ｉ　とに掛かり止めされた一本の電線９の一部９ｈは、確実且つ容易に切断可能な状態となる。電線９の一部９ｈの切断作業が行われたのちに、例えば、吸引装置などが用いられて、切断された電線９の切取り部９ｋは、接続箱本体７０Ｉ　内から除去される。
【００７５】
その後、電気接続箱１Ｉ　が組立てられる。図１１に示される掛かり止め部７２ｐは、電気接続箱１Ｉ　を構成する接続箱本体７０Ｉ　にのみ設けられ、図６に示される電気接続箱１には設けられずに省略されている。図１１に示される掛かり止め部７２ｐの有無や、側壁７２ｃ（図６），７２ｃＩ（図１１）　の形状の違いといったこと以外の他の部分については、図１１に示される電気接続箱１Ｉ　と、図６および図９に示される電気接続箱１とは、略同じ構成のものとされている。
【００７６】
図１，図２，図４，図５に示される上記布線シート１０，２０は、図６に示される接続箱本体７０の収容部７３内に装着される。以下に、図６および図９に示される電気接続箱１の組立工程について説明する。
【００７７】
図６の如く、この電気接続箱１の組付け構造は、接続箱本体７０の上方側の外部に装備される外部ワイヤハーネス（図示せず）から接続箱本体７０の内部の上方側に装備される電子ユニット５まで、複数のバスバー３０を介して通電可能に接続される構造のものとされている。
【００７８】
電子ユニット５は、回路導体５Ｂが印刷された合成樹脂製の絶縁基板部５Ａすなわちプリント基板部５Ａに、ＩＣパッケージ５Ｈ、コンデンサ５Ｊ、リレーすなわち継電器（図示せず）が組付けられるリレー接続台５Ｋ、一コネクタ５Ｌ、他のコネクタ５Ｐなどの電気・電子関連部品が取付けられ、これらのものが銅箔の各回路導体により通電可能に接続されて電子制御装置が構成されている。
【００７９】
「ＩＣ」とは、集積回路を意味し「ｉｎｔｅｇｒａｔｅｄ　ｃｉｒｃｕｉｔ」の略称とされている。「ＩＣ」は、電子回路の一種とされ、トランジスタ、ダイオード、抵抗、コンデンサなどの多くの回路素子が、一つの基板部上または基板部中に結合され、これらの間が配線で接続された高密度構造の電子回路とされている。
【００８０】
電子制御装置（ｅｌｅｃｔｒｏｎｉｃ　ｃｏｎｔｒｏｌ　ｕｎｉｔ）　は、「ＥＣＵ」と略称して呼ばれることが多い。電子制御装置は、コンピュータによって制御される制御手段や、判定手段などを備えるものとされている。また、合成樹脂製の絶縁基板部５Ａに印刷された各回路導体５Ｂは、透明もしくは半透明をした絶縁被膜５Ｃによって保護されている。
【００８１】
合成樹脂製のコネクタハウジング５Ｍ内に、金属製の端子（図示せず）が挿着されて、一コネクタ５Ｌが構成されている。また、一コネクタ５Ｌに対応して、一コネクタ５Ｌの下部に略矩形状の開口部５Ｄが基板部５Ａに設けられたものとされている。これにより、一コネクタ５Ｌの下側から、バスバー３０の電気接触部３６が接続可能なものとされている。
【００８２】
一コネクタ５Ｌに備えられた各端子の取付部（図示せず）が、絶縁基板部５Ａに印刷された各回路導体５Ｂに「はんだ付け」されて、各端子と各回路導体５Ｂとが通電可能に接続されている。このように、図６に示される一コネクタ５Ｌは、垂直取付形のＰＣＢ用コネクタ５Ｌとして用いられる。ＰＣＢとは「Ｐｒｉｎｔｅｄ　Ｃｉｒｃｕｉｔ　Ｂｏａｒｄ　」を意味する。
【００８３】
また、他のコネクタ５Ｐは、金属製の各雄型の端子５Ｔと、合成樹脂製のコネクタハウジング５Ｑとを備えるものとして構成され、各雄型の端子５Ｔは、絶縁基板部５Ａに印刷された各回路導体５Ｂと通電可能に接続されている。
【００８４】
図５および図６の如く、金属製バスバー３０の一端に、タブ形状をした端子部３３（図５）が設けられている。また、各金属製バスバー３０の他端に、タブ形状をした電気接触部３６が設けられている。電源モジュール６に突設または貫設されたタブ形状の各端子部３３と、合成樹脂製の布線シート１０に突設された電気接触部３６とは、これらが組付けられる合成樹脂製の接続箱本体７０（図６）に対し、上側に向けて延設されている。モジュールとは、装置、機械、システムが構成される部分のものとされ、機能的にまとめられたものを意味する。
【００８５】
また、図４および図５の如く、ハウジング部材５０に設けられた合成樹脂製の周壁５２の一端側から突出片５５が延設されて、合成樹脂製のハウジング本体５１と、合成樹脂製の突出片５５とが一体に成形されている。突出片５５は、略逆Ｌ字状に形成された薄肉状の板状部材として形成されている。
【００８６】
図４および図５の如く、突出片５５の肉薄部５５ｎに段差部５５ｊが設けられて、ハウジング部材５０の突出片５５に肉厚部５５ｍが形成されている。突出片５５の肉薄部５５ｎと、突出片５５の肉厚部５５ｍとは、同材質の合成樹脂材料が用いられて一体に成形されている。また、前記突出片５５の肉厚部５５ｍに、複数のバスバー３０の電気接触部３６が挿通される複数のキャビティ部５６が設けられている。キャビティとは、空隙もしくは空所または抜き穴を意味するものとされる。突出片５５の肉薄部５５ｎに、例えば突出片５５に対して別体の成形体として形成された肉厚部（５５ｍ）が取付けられたものも使用可能とされる。
【００８７】
電気接続箱１を構成する接続箱本体７０と、電源モジュール６と、合成樹脂製の布線シート１０とに、合成樹脂製のハウジング部材５０が装着されることで、タブ形状をした金属製の各端子部３３が、ハウジング部材５０を形成するハウジング本体５１の収容部５３内に突設して位置し、コネクタ部３が構成される。図４および図５の如く、各端子部３３は、ハウジング本体５１に設けられた収容部５３の開口部５４内に位置するものとされている。
【００８８】
また、前記コネクタ部３が構成されると共に、ハウジング部材５０の突出片５５に設けられた複数の前記キャビティ部５６に、布線シート１０から上側に向けて突設された複数の前記電気接触部３６が挿通される。その際に、位置決めが行われずに傾けられていた複数の電気接触部３６は、図４〜図６の如く、ハウジング部材５０の突出片５５に設けられた各キャビティ部５６に挿入される。これにより、複数の電気接触部３６は、略一直線上に整列されて矯正される。また、矯正された各電気接触部３６は、電子ユニット５に設けられた一コネクタ５Ｌ（図６）の各端子（図示せず）と通電可能に接続される。
【００８９】
図６の如く、電子ユニット５、布線シート１０などは、接続箱本体７０の収容部７３に内装される。また、ハウジング部材５０に設けられた突出片５５などのように、ハウジング部材５０の一部は、接続箱本体７０の内部に位置し、図９の如く、ハウジング部材５０のハウジング本体５１は、接続箱本体７０の外部に露出される。コネクタ部３は、不図示の外部ワイヤハーネスと容易に接続可能とされるために、電気接続箱１の外部に備えられている。
【００９０】
図５の如く、電源モジュール６が容易に上側の布線シート１０に組付けられるために、上側の布線シート１０の基板部１１に段差部１１Ｂが設けられると共に、電源モジュール６の基板部６Ａの形状に対応した一段下側の他の基板部１１Ａが、布線シート１０の上側の基板部１１から延設されている。布線シート１０に設けられた上側の基板部１１と、一段下側の他の基板部１１Ａとは、段差部１１Ｂにより連結されて一体に成形されている。
【００９１】
図４および図５の如く、上側の布線シート１０を形成する他の基板部１１Ａに、略円筒状をした位置合わせ部１５Ｂが設けられている。布線シート１０の他の基板部１１Ａ上に設けられた略円筒状の位置合わせ部１５Ｂは、電源モジュール６の基板部６Ａよりも上側に突出されている。ハウジング部材５０が、電源モジュール６と、上側の布線シート１０とに容易に取付けられるために、電源モジュール６の基板部６Ａの円形孔（図示せず）を通り抜けて、前記略円筒状の位置合わせ部１５Ｂが上側に向けて突設されている。図４の如く、略円筒状をした複数の前記位置合わせ部１５Ｂに対応して、ハウジング部材５０の突出片５５に、略円形孔をした複数の位置合わせ部５５ｂが設けられている。
【００９２】
また、ハウジング部材５０が位置決めされつつ上側の布線シート１０の基板部１１上に取付けられるために、図４および図５の如く、布線シート１０の基板部１１に、略円筒状をした複数の位置決め部１１ｈが設けられている。前記略円筒状をした複数の位置決め部１１ｈに対応して、ハウジング部材５０の突出片５５に、略円形孔をした複数の位置決め部５５ｈが設けられている。
【００９３】
図６に示される電子ユニット５が確実に電気接続箱１内に装着されるために、図４および図５の如く、布線シート１０を形成する基板部１１の上側に、固定孔１５ＡＬ　を備える複数の固定部１５Ａが突設されている。また、これと共に、布線シート１０を形成する他の基板部１１Ａの上側に、固定孔１５ＢＬ　を備える複数の固定部１５Ｂが突設されている。
【００９４】
布線シート１０を形成する他の基板部１１Ａの上側に突設された略円筒状の固定部１５Ｂは、電源モジュール６や、ハウジング部材５０の取付位置方向が容易に判明されるための位置合わせ部１５Ｂを兼ねたものとして形成されている。略円筒状をした複数の前記固定部１５Ａ，１５Ｂに対応して、図６の如く、電子ユニット５の基板部５Ａに、略円形をした固定孔５ＶＬ　を有する複数の固定部５Ｖが設けられている。
【００９５】
上側の布線シート１０およびハウジング部材５０の突出片５５から上側に向けて突設された各電気接触部３６と、電子ユニット５に設けられた一コネクタ５Ｌの各端子（図示せず）とが合わせられると共に、布線シート１０の基板部１１に設けられた固定部１５Ａの固定孔１５ＡＬ　と、布線シート１０の他の基板部１１Ａに設けられた固定部１５Ｂの固定孔１５ＢＬ　と、電子ユニット５の基板部５Ａに設けられた固定孔５ＶＬ　とが合わせられ、ねじ等の止具（図示せず）が、電子ユニット５の基板部５Ａに設けられた固定孔５ＶＬ　から、布線シート１０の基板部１１に設けられた固定部１５Ａの固定孔１５ＡＬ　、又は他の基板部１１Ａに設けられた固定部１５Ｂの固定孔１５ＢＬ（図４，図５）　へ挿通され、ねじの螺合部（図示せず）などが、図１および図２に示される固定部２５の固定孔２５ａと螺合などされることで、電子ユニット５は、確実に布線シート１０，２０と固定される。
【００９６】
また、図４の如く、ハウジング部材５０の突出片５５に、略円孔状に形成された複数の固定部５５ｄが設けられると共に、電源モジュール６の基板部６Ａに、略円孔状に形成された複数の固定部６Ｄが設けられ、さらに、これらの固定部６Ｄ，５５ｄに対応して、上側の布線シート１０に設けられた他の基板部１１Ａに、略円筒状に形成された複数の他の固定部（図示せず）が設けられると共に、図１および図２の如く、下側の布線シート２０の基板部２１に、略円筒状に形成された複数の他の固定部２６が設けられ、さらに布線シート２０の下側に他の電子ユニット４が備えられると共に、他の電子ユニット４の基板部などに略円形孔をした固定部（図示せず）が設けられ、これらの前記各固定部に、長尺状をしたねじ等の止具（図示せず）が挿通されて、ねじの螺合部（図示せず）などが、接続箱本体７０（図６）の底壁７１の固定部（図示せず）に螺合などされることで、ハウジング部材５０と、電源モジュール６と、上側の布線シート１０と、下側の布線シート２０と、他の電子ユニット４とが、共に接続箱本体７０に確実に固定される。
【００９７】
図４〜図６に示される合成樹脂製のハウジング部材５０に代えて、図１２に示される合成樹脂製のハウジング部材５０Ｉ　が電気接続箱に装着されたものも使用可能とされる。図１２は、ハウジング部材の他の実施形態を示すものである。図１２に示されるハウジング部材５０Ｉ　において、図４〜図６に示されるハウジング部材５０と共通なものとされた部分については、同一の符号が付され、その詳細な説明は省略されている。
【００９８】
図１２に示されるハウジング部材５０Ｉ　は、ハウジング本体５１と、このハウジング本体５１の一端部から延設された突出片５５Ｉ　と、この突出片５５Ｉ　に取付けられ且つキャビティ部４６を有する保持部材４０とを備えるものとして構成される。
【００９９】
各種バスバーの各端子部が挿通される複数の貫通孔５３ｂが、ハウジング本体５１の基壁５２ｂに並設されている。また、図１２に示されるハウジング部材５０Ｉ　の突出片５５Ｉ　は、図４〜図６に示されるハウジング部材５０の突出片５５よりも小さい形状をした矩形板として、ハウジング本体５１（図１２）を形成する基壁５２ｂの一端部から延長形成されている。
【０１００】
図４および図５に示されるハウジング部材５０の突出片５５の肉厚部５５ｍに代えて、図１２の如く、ハウジング部材５０Ｉ　の突出片５５Ｉ　に、略矩形窓状をした開口部５５ｍＩ　が設けられると共に、この開口部５５ｍＩ　に、合成樹脂製の保持部材４０が装着される。
【０１０１】
この保持部材４０は、略長尺状をした矩形板に形成された肉薄部４５ｎと、この肉薄部４５ｎから突設された略直方体状の肉厚部４５ｍとを備えるものとして形成されている。略板状に形成された肉薄部４５ｎと、略直方体状に形成された肉厚部４５ｍとは、同種類の合成樹脂材料が用いられて一体に成形されている。
【０１０２】
また、保持部材４０の肉厚部４５ｍに、複数の矩形孔状をしたキャビティ部４６が設けられている。複数のキャビティ部４６は、挿入部４７から開口部４８にかけて貫通形成され、このような複数のキャビティ部４６に、バスバーの電気接触部が挿通される。
【０１０３】
保持部材４０に設けられたキャビティ部４６の挿入部４７に、小さいテーパ面４７ａが設けられている。このようなテーパ面４７ａがキャビティ部４６の挿入部４７に設けられていれば、複数のバスバーの電気接触部は、保持部材４０に設けられた複数のキャビティ部４６内に、容易に挿入されることとなる。
【０１０４】
また、保持部材４０は、合成樹脂製の小さい射出成形体として形成されているから、小さいテーパ面４７ａが設けられた各キャビティ部４６を備える合成樹脂製の保持部材４０は、精度良く迅速に大量生産されることとなる。
【０１０５】
また、図５の如く、タブ形状をした複数の電気接触部３６のうち、何れかの電気接触部３６または全ての電気接触部３６が、電気接触部３６の厚さ方向に傾けられた状態とされた際に、複数の電気接触部３６が同時に複数のキャビティ部５６内に挿入され易くさせる傾斜面３６ｋが、各電気接触部３６の真直部３６ｈの先端部３６ｊに設けられている。
【０１０６】
また、図４および図１２の如く、ハウジング部材５０の両側にガイド部５２ｈが設けられ、このガイド部５２ｈに対応して、図６の如く、接続箱本体７０の両側壁７２ａ，７２ｃにガイド受け部７６が設けられている。
【０１０７】
図６および図９の如く、接続箱本体７０のガイド受け部７６は、略Ｔ溝状をしたガイド溝７６を備えるものとして形成され、ガイド溝７６に対応して、図４および図１２の如く、ハウジング部材５０のガイド部５２ｈは、略板状に形成されたガイド片５２ｈを備えるものとして形成されている。ハウジング部材５０のガイド片５２ｈは、ハウジング部材５０の周壁５２の外側に突出された支持部５２ｊの先に設けられている。
【０１０８】
また、図６の如く、接続箱本体７０のガイド受け部７６は、接続箱本体７０の側壁７２ａ，７２ｃよりも外側に突出された枠部７６ｂと、前記ハウジング部材５０の前記支持部５２ｊ（図４，図１２）に対応した細長い溝とを備えるものとして形成されている。
【０１０９】
また、図６の如く、コネクタ部３と、電子ユニット５とは、コネクタ部３と、電子ユニット５とが備えられる接続箱本体７０の上層部に隣り合って併設される。また、コネクタ部３と、電子ユニット５とは、接続箱本体７０の収容部７３内に装備される布線シート１０の上方に並設される。
【０１１０】
このような配置構造をした電気接続箱１とされていれば、接続箱本体７０に対し、電子ユニット５は取付けられ易いものとなる。また、図９に示される電気接続箱１のコネクタ部３に、外部ワイヤハーネス（図示せず）のコネクタ（図示せず）が接続される際の接続作業は行われ易いものとなる。
【０１１１】
図６および図９に示される如く、ヒューズブロック８０が、電気接続箱１の前側に備えられている。ヒューズブロックとは、複数のヒューズが、ハウジング、ベース、ホルダなどの相手取付体に組付けられて一体とされた状態のブロック状部品を意味する。
【０１１２】
また、このヒューズブロック８０は、各ヒューズ（図示せず）を保護する合成樹脂製の前面カバー９０を備えるものとして構成されている。この前面カバー９０は、カバー本体９１と、このカバー本体９１の上側に設けられ、ヒューズブロック本体８１に対し着脱自在な一対のヒンジ部９２と、カバー本体９１の下側に設けられ、合成樹脂製のヒューズブロック本体８１に対し前面カバー９０が開閉される際に開閉動作が行われ易くされるための操作部９３とを備えるものとして形成されている。
【０１１３】
ヒューズブロック本体８１の前側に設けられた一対のヒンジ部８２に、前面カバー９０の上側に設けられた一対のヒンジ部９２が組付けられることで、ヒューズブロック本体８１に、前面カバー９０が開閉自在に取付けられる。このように、ヒューズブロック本体８１の前面にカバー９０が開閉自在に取付けられていれば、ヒューズブロック本体８１内部に装着された不図示の各ヒューズの交換などといったメンテナンスが行われ易いものとなる。
【０１１４】
また、ヒューズブロック本体８１の前部上側と、前部下側とに、係止突起８８，８９を備えるそれぞれ一対の係止部８８，８９が設けられている。ヒューズブロック本体８１の前部下側に設けられた一対の係止部８８に対応して、接続箱本体７０の前部下側に、矩形状をした係合孔７８を備える一対の係合部７８が設けられている。また、ヒューズブロック本体８１の前部上側に設けられた一対の係止部８９に対応して、ハウジング部材５０の前側の壁５２ｆに、矩形状をした係合孔５９を備える一対の係合部５９が設けられている。
【０１１５】
接続箱本体７０の前部下側に設けられた一対の係合部７８と、ヒューズブロック本体８１の前部下側に設けられた一対の係止部８８とが係り止めされることで、接続箱本体７０にヒューズブロック本体８１が確実に装着される。また、ヒューズブロック本体８１の前部上側に設けられた一対の係止部８９と、ハウジング部材５０の前側の壁５２ｆに設けられた一対の係合部５９とが係り止めされることで、接続箱本体７０と、接続箱本体７０に組付けられたヒューズブロック８０とに、ハウジング部材５０が組付けられる。
【０１１６】
図６および図９に示されるヒューズブロック本体８１の内部に、図１に示される複数層の各音叉端子部３８が備えられる。複数層の各音叉端子部３８は、各種バスバー３０が延設されて形成されたものとされる。
【０１１７】
図６の如く、内部に複数のブレード型ヒューズ（図示せず）を備えるヒューズブロック８０が、接続箱本体７０の前側に装着されることで、ヒューズブロック本体８１の内部に備えられた各ブレード型ヒューズのタブ端子（図示せず）と、図１に示される複数層の各音叉端子部３８とが通電可能に接続される。
【０１１８】
このように、不図示の各ブレード型ヒューズを内部に備えるヒューズブロック８０（図６）が用いられて、不図示の各ブレード型ヒューズのタブ端子が、図１に示される複数層の各音叉端子部３８と通電可能に接続される電気接続箱１（図６）とされていれば、複数のブレード型ヒューズ（図示せず）は、容易で迅速に電気接続箱１に装備されることとなる。従って、電気接続箱１に対し、不図示の各ブレード型ヒューズの取付作業性が向上される。
【０１１９】
電気接続箱の仕様により、図１に示される複数層の各音叉端子部３８に代えて、例えばタブ状端子や、雌型の端子が用いられたもの等（図示せず）も使用可能とされる。
【０１２０】
図６に示される接続箱本体７０に、図７および図８に示される合成樹脂製の上側カバー６０が組付けられることで、図９の如く、電気接続箱１が組立てられる。
【０１２１】
図７および図８の如く、上側カバー６０は、略矩形状の天壁６１と、この天壁６１の周囲に設けられた各側壁６２ａ，６２ｂ，６２ｃ，６２ｄとを備え、図８の如く、内側に収容部６３が設けられている。図６に示される電子ユニット５の他のコネクタ５Ｐに対応して、図７および図８の如く、上側カバー６０の天壁６１に、略矩形状をした開口部６５が設けられている。
【０１２２】
図７および図８の如く、上側カバー６０の開口部６５周縁にリブ６５ａが設けられている。また、上側カバー６０の開口部６５周縁に設けられた前記リブ６５ａに続き、上側カバー６０の内側に向けてガイドリブ６５ｂが延設されている。前記リブ６５ａは、図６に示される他のコネクタ５Ｐを構成するコネクタハウジング５Ｑの上端部５Ｒに対応して形成され、図７および図８に示される前記ガイドリブ６５ｂは、図６に示される他のコネクタ５Ｐを構成するコネクタハウジング５Ｑの側壁部５Ｓに対応して形成されている。
【０１２３】
図７の如く、上側カバー６０の側壁６２ｄに、複数の略Ｔ字状突出部６２ｔと、一対の窓６２ｗとが設けられている。また、上側カバー６０の強度を向上させるために、図８の如く、縦横に交差するその他の各リブ６１ａ，６１ｂが、上側カバー６０を形成する天壁６１の内側に設けられている。
【０１２４】
また、図７および図８の如く、上側カバー６０の側壁６２ａ，６２ｂ，６２ｃに複数のガイド部６７が設けられ、これらのガイド部６７に対応して、図６に示される如く、接続箱本体７０の側壁７２ａ，７２ｂ，７２ｃに複数のガイド受け部７７が設けられている。また、これと共に、接続箱本体７０の側壁７２ａ，７２ｃに、複数の枠状突出部７２ｈが設けられている。
【０１２５】
図６の如く、接続箱本体７０のガイド受け部７７は、略Ｔ溝状をしたガイド溝７７を備えるものとして形成され、このようなガイド溝７７に対応して、図７および図８の如く、上側カバー６０のガイド部６７は、略板状に形成されたガイド片６７を備えるものとして形成されている。
【０１２６】
上側カバー６０のガイド片６７は、上側カバー６０の側壁６２ａ，６２ｂ，６２ｃから上側カバー６０の外側に向けて突出された支持部６７ａの先に設けられている。また、図６の如く、接続箱本体７０のガイド受け部７７は、接続箱本体７０の側壁７２ａ，７２ｂ，７２ｃよりも外側に突出された枠部７７ｂと、図７および図８に示される前記上側カバー６０の前記支持部６７ａに対応した細長い溝７７ａ（図６）とを備えるものとして形成されている。
【０１２７】
また、図７および図８の如く、上側カバー６０の側壁６２ａ，６２ｂ，６２ｃに、係止突起６９を備える係止部６９が設けられ、この係止部６９に対応して、図６に示される接続箱本体７０の側壁７２ａ，７２ｂ，７２ｃに、係合突部（図示せず）を備える係合部７９が設けられている。
【０１２８】
図６の如く、接続箱本体７０内に電子ユニット５が組付けられた後に、図７に示されるカバー６０が接続箱本体７０に被せられると共に、接続箱本体７０に組付けられることで、図９に示される如く、電気接続箱１が組立てられる。
【０１２９】
その際に、図６に示される接続箱本体７０の各係合部７９に、図７に示されるカバー６０の係止部６９が係り止めされることで、カバー６０は、ガタつくことなく確実に接続箱本体７０に取付けられる。また、これと同時に、図７および図８に示されるカバー６０の側壁６２ｄに設けられた複数の掛合部６２ｋと、図４および図１２に示されるハウジング部材５０の周壁５２に設けられた複数の掛止部５２ｋとが合わせられる。
【０１３０】
その後、図９に示される電気接続箱１のコネクタ部３に、不図示の外部ワイヤハーネスのコネクタが通電可能に接続されると共に、電気接続箱１の他のコネクタ部５Ｐに、他の外部ワイヤハーネスのコネクタ（図示せず）が通電可能に接続される。このような電気接続箱１は、自動車などの電気配線に接続されるジャンクションボックス（Ｊ／Ｂと略称する）として用いられる。また、電気接続箱は、例えばリレーボックス（Ｒ／Ｂと略称する）等として用いられることも可能とされる。
【０１３１】
【発明の効果】
以上の如く、請求項１記載の発明によれば、電線が配索される布線シートにおいて、布線シートの側板部に、回路を構成する複数の電線の端部がまとめて配設されているから、例えば布線シートの側板部に沿って電線を切断して、布線シートに複数の電線を備える回路を構成させるといった作業は行われ易いものとなる。従って、複数の電線を備える回路は、容易で迅速に布線シートに構成されることとなり、これにより、生産性に優れる布線シートが提供されることとなる。
【０１３２】
請求項２記載の発明によれば、布線シートの一側板部に、電線の端部に対応した取付部が設けられ、複数の取付部に、複数の電線の端部が固定されているから、電線の端部は、確実に布線シートの一側板部の取付部に装着され続けることとなる。また、例えば布線シートの一側板部の取付部において電線の切断作業が行われるということが可能となり、これにより、電線の切断作業の迅速化が図られることとなる。
【０１３３】
請求項３記載の発明によれば、布線シートの一側板部に設けられた取付部は、電線の端部を保持可能な溝に形成され、この溝に電線の端部が押入されているから、電線は、長期に亘って確実に布線シートの一側板部に固定されることとなる。また、例えば電線が切断されて布線シートに複数の電線を備える回路が構成される際に、布線シートに対して電線が撓まされて、電線の切り損ねが発生されるといった不具合の発生は回避され、複数の電線を備える回路は、容易で確実に布線シートに設けられることとなる。
【０１３４】
請求項４記載の発明によれば、電線の端部に設けられた端面は、布線シートを形成する水平な基板部と、基板部の周囲に形成された垂直な側板部との外側に位置するものとされているから、電線の端部に設けられた端面は、布線シートの基板部上に存しないこととなる。従って、電線の端部が布線シート上の他のものに接触されて、布線シートの回路にショートなどの電気的な不具合が発生されるということは未然に防止され、布線シートの信頼性が向上される。
【０１３５】
請求項５記載の発明によれば、請求項１〜３の何れか１項に記載の布線シートが接続箱本体に収容され、複数の電線の端部は、接続箱本体の側壁で保護されるものであるから、接続箱本体の外部に複数の電線の端部が露出されるということはない。従って、電気接続箱に電気的な不具合が発生されるということは回避され、電気接続箱の信頼性が向上されることとなる。
【０１３６】
請求項６記載の発明によれば、電線の端部に設けられた端面は、接続箱本体を形成する基壁と、基壁の周囲に形成された側壁との内側に位置するものとされているから、接続箱本体の基壁および側壁の外側に、電線の端部に設けられた端面が露出されるということは回避される。従って、電気接続箱に電気的な不具合が発生されるということは防止され、信頼性が向上された電気接続箱を提供することが可能となる。
【０１３７】
請求項７記載の発明によれば、布線シートに立設された圧接端子に電線を圧接させて、布線シートに電線を配索させると共に布線シートに電線を固定させるから、電線は布線シートに確実に取付けられることとなる。また、電線の一部を布線シートの側板部に固定させ、電線の一部を切断して電線を分離させるから、電線の一部は容易に切断されることとなる。また、このような電線の切断方法が行われることで、効率よく迅速に電線の一部が切断されることとなる。従って、電線の切断工程の作業効率が向上されることとなる。
【０１３８】
請求項８記載の発明によれば、布線シートの一側板部に、電線の一部に対応した取付部を設け、前記取付部に、電線の一部を固定させるから、電線の一部は、確実に布線シートの一側板部の取付部に装着されることとなる。また、電線の一部を布線シートの一側板部の取付部に固定させて、電線の一部を切断するから、布線シートの一側板部の取付部において電線の切断作業を行えばよいこととなる。従って、布線シートの各部において電線の切断作業が行われるといったことは回避され、これにより、電線の切断作業は確実且つ迅速に行われることとなる。
【０１３９】
請求項９記載の発明によれば、布線シートの一側板部に電線の一部を保持可能な溝を設け、この溝に電線の一部を押入させるから、電線の一部は、確実に布線シートの一側板部に固定されることとなる。従って、電線の一部が切断される際に、布線シートに対して電線の一部がぐらつくといったことは回避され、電線の切断作業は容易で確実に行われることとなる。
【０１４０】
請求項１０記載の発明によれば、布線シートを形成する基板部上から基板部の周囲に形成された側板部の外側に電線を導出させ、電線の一部を折り返させて、側板部の内側に電線を導入させることで、電線を布線シートの側板部に固定させるから、電線の切断作業は行われ易いものとなる。例えば刃物が用いられて電線の切断作業が行われる場合、布線シートの側板部の外側において、布線シートの側板部に沿って刃物を移動させれば、布線シートの側板部の外側に出された電線は、容易に切断されることとなる。従って、電線の切断工程は迅速に行われることとなる。
【０１４１】
請求項１１記載の発明によれば、電線の一部を布線シートの側板部に固定させた後に、布線シートを接続箱本体に収容させ、同時に電線の一部を接続箱本体の側壁側に固定させるから、電線の一部は、布線シートと、接続箱本体とに確実に固定されることとなる。従って、電線の一部を切断する際に、電線の一部が大きく撓まされて、電線の一部の切断作業が行われ難いといったことは回避され、布線シートと、接続箱本体とに固定された電線の一部は、確実且つ容易に切断可能な状態となる。
【０１４２】
請求項１２記載の発明によれば、布線シートの側板部の外側に導出された電線の複数の一部を同時に切断するから、電線の切り忘れなどといった電線の切断時における不具合の発生は、未然に防止されることとなる。従って、布線シートに複数の電線を備える回路を確実に形成させることが可能となる。
【図面の簡単な説明】
【図１】本発明に係る布線シートならびに電線の切断方法の一実施形態を示す斜視図である。
【図２】図１の布線シートの側板に電線の端部が配設された状態を示す拡大斜視図である。
【図３】圧接端子に布線が圧接接続される過程を示す説明図であり、（ａ）は圧接端子に布線が圧接接続される前の状態を示す説明図、（ｂ）は圧接端子に布線が圧接接続された後の状態を示す説明図である。
【図４】上層の布線シートにハウジング部材が組付けられた状態を示す斜視図である。
【図５】図４の布線シートの側板に電線の端部が配設された状態を示す拡大斜視図である。
【図６】本発明に係る電気接続箱の一実施形態を示す分解斜視図である。
【図７】カバーの外部を示す斜視図である。
【図８】同じくカバーの内部を示す斜視図である。
【図９】電気接続箱の組立状態を示す斜視図である。
【図１０】布線シートならびに電線の切断方法に関する他の実施形態を示す斜視図である。
【図１１】電気接続箱の他の実施形態を示す要部説明図である。
【図１２】ハウジング部材の他の実施形態を示す斜視図である。
【図１３】従来の電気接続箱の一形態を示す分解斜視図である。
【符号の説明】
１，１Ｉ　　　　　　　　　　電気接続箱
９　　　　　　　　　　　　布線（電線）
９ｃ　　　　　　　　　　　端部
９ｄ　　　　　　　　　　　切断面（端面）
９ｈ　　　　　　　　　　　一部
１０，１０Ｉ　，２０　　　　布線シート
１１，１１Ｉ　，２１　　　　基板部
１２，１２Ｉ　，２２　　　　側板部
１２１　，１２１１，２２１　　　一側板部
１２ａ，１２ａＩ　，２２ａ　溝（取付部）
３９，３９Ｋ　　　　　　　圧接端子部（圧接端子）
７０，７０Ｉ　　　　　　　　接続箱本体
７１，７１Ｉ　　　　　　　　底壁（基壁）
７２ｃ，７２ｃＩ　　　　　　一側壁（側壁）
【図１】
2004096900.tif 000003
【図２】
2004096900.tif 000004
【図３】
2004096900.tif 000005
【図４】
2004096900.tif 000006
【図５】
2004096900.tif 000007
【図６】
2004096900.tif 000008
【図７】
2004096900.tif 000009
【図８】
2004096900.tif 000010
【図９】
2004096900.tif 000011
【図１０】
2004096900.tif 000012
【図１１】
2004096900.tif 000013
【図１２】
2004096900.tif 000014
【図１３】
2004096900.tif 000015